(57)【要約】【課題】受金接触片の先端にランプが引っ掛かることなく接触力を大きくでき、しかもねじ込み力が固くならず、かつヘタリを防止することができるねじ込みソケットおよび照明器具を提供する。【解決手段】ランプ４の口金の５ねじ部と６蝶合する雌ねじを７有する絶縁物の本体１と、口金５のアイレット１２と接触する中心接触片２と、口金５のねじ部６と接触する受金接触片３を有するねじ込みソケットにおいて、受金接触片３はソケット中心側に向かって突出した突起部１３を有し、ランプ４をねじ込んだ際にランプ４の進入を規制するように、口金５のねじ部６の下端が突起部１３に当接する。【選択図】  図１
2004228012.tif 000002
【特許請求の範囲】
【請求項１】
ランプの口金のねじ部と螺合する雌ねじを有する絶縁物の本体と、前記口金のアイレットと接触する中心接触片と、前記口金のねじ部と接触する受金接触片を有するねじ込みソケットにおいて、前記受金接触片は前記雌ねじの中心側に向かって突出して前記ランプを前記雌ねじにねじ込んだ際に前記ランプの進入を規制するように前記口金が当接する前記突起部を有することを特徴とするねじ込みソケット。
【請求項２】
前記突起部は前記受金接触片から切り起こしている請求項１記載のねじ込みソケット。
【請求項３】
前記突起部は前記受金接触片の略中央部にあり、前記受金接触片の先端側から根元側に向かって切り起こされている請求項２記載のねじ込みソケット。
【請求項４】
前記突起部は前記受金接触片の中心に対して略対称に２箇所設けられている請求項１または請求項２記載のねじ込みソケット。
【請求項５】
前記突起部は前記受金接触片および前記本体の前記雌ねじの内底面に対して略垂直に設けられている請求項１、請求項２または請求項４記載のねじ込みソケット。
【請求項６】
ランプ装着前の初期状態において、前記受金接触片の内側表面は、前記雌ねじに螺合された前記ねじ部の最大径部よりも外側にある請求項１、請求項２、請求項３、請求項４または請求項５記載のねじ込みソケット。
【請求項７】
ランプの口金のねじ部と螺合する雌ねじを有する絶縁物の本体と、前記口金のアイレットと接触する中心接触片と、前記口金の前記ねじ部と接触する受金接触片を有するねじ込みソケットにおいて、
前記受金接触片の先端に前記雌ねじの径方向外方に段違いに折曲された曲げ部を設けるとともに、前記本体の前記雌ねじの内面には、断面がコの字形で前記雌ねじの底面方向に開口し、前記雌ねじの中心側に内壁を持ちかつ外方側に外壁を持つ中空部を有し、
前記雌ねじの径方向における前記中空部の幅が、前記受金接触片の板厚より十分大きく設定され、前記曲げ部が前記中空部内に位置することを特徴とするねじ込みソケット。
【請求項８】
前記中空部の前記内壁の厚さは前記曲げ部の段差よりも小さく、前記曲げ部が前記中空部の前記内壁に当接している請求項７記載のねじ込みソケット。
【請求項９】
前記ランプの装着前の状態における、前記曲げ部と前記外壁の距離が、前記ランプの装着時の前記受金接触片の変位量よりも大きい請求項７または請求項８記載のねじ込みソケット。
【請求項１０】
前記受金接触片はばね性を有し、初期状態ではその先端が中空部よりも雌ねじの中心側に位置し、前記受金接触片を外方にたわませて前記先端を前記内壁に係合した請求項８または請求項９記載のねじ込みソケット。
【請求項１１】
前記口金の前記ねじ部の最大径部の半径と、前記雌ねじの中心から受金接触片の弾性変形の支点までの距離が略同一である請求項１０記載のねじ込みソケット。
【請求項１２】
請求項１、請求項２、請求項３、請求項４、請求項５、請求項６、請求項７、請求項８、請求項９、請求項１０または請求項１１記載のねじ込みソケットを備えた照明器具。
【発明の詳細な説明】
【０００１】
【発明の属する技術分野】
この発明は、ねじ込みソケットおよび照明器具に関するものである。
【０００２】
【従来の技術】
ねじ込みソケットは、ランプの口金のねじ部と螺合する雌ねじを有する絶縁物の本体と、ランプの口金のアイレットと接触する中心接触片と、ランプの口金のねじ部と接触する受金接触片を有する。従来、受金接触片の先端側を外方に反らせたり、その先端を本体の内周面に当接するようにしてねじ部との接触力を得るようにしたものがあった（特許文献１、２参照）。
【０００３】
【特許文献１】
特開平２−１２９８７６号
【特許文献２】
特開平２−１８９８７６号
【０００４】
【発明が解決しようとする課題】
しかし、これらの従来例は、つぎのような課題があった。すなわち、（１）ランプ口金寸法のばらつきを考慮しながら、接触力が適正な値になるようソケット側の受金接触片を設計するのは困難である。（２）接触力重視の設計にすると、ランプのねじ込みが固くなる。（３）受金接触片の先端にランプが引っ掛りねじ込めない場合がある。（４）受金接触片がヘタり、不点になる場合がある。（５）ランプのねじ込み途中に、口金ねじ部に触れて感電する恐れがある。
【０００５】
したがって、この発明の目的は、受金接触片の先端にランプが引っ掛かることなく接触力を大きくでき、しかもねじ込み力が固くならず、かつヘタリを防止することができるねじ込みソケットおよび照明器具を提供することである。
【０００６】
【課題を解決するための手段】
請求項１記載のねじ込みソケットは、ランプの口金のねじ部と螺合する雌ねじを有する絶縁物の本体と、前記口金のアイレットと接触する中心接触片と、前記口金のねじ部と接触する受金接触片を有するねじ込みソケットにおいて、前記受金接触片は前記雌ねじの中心側に向かって突出して前記ランプを前記雌ねじにねじ込んだ際に前記ランプの進入を規制するように前記口金が当接する前記突起部を有することを特徴とするものである。
【０００７】
請求項１記載のねじ込みソケットによれば、ランプを本体にねじ込めば突起部を押すので受金接触片が内倒れし、接触圧が確実に取れる。したがって、ランプの口金のねじ部の径のばらつきがあっても接触が確実である。また接触圧が低い設計にできるため、ランプを軽くねじ込め、さらにヘタリも防止できる。
【０００８】
請求項２記載のねじ込みソケットは、請求項１において、前記突起部が前記受金接触片から切り起こしているものである。
【０００９】
請求項２記載のねじ込みソケットによれば、請求項１と同様な効果のほか、受金接触片が大きくならない。
【００１０】
請求項３記載のねじ込みソケットは、請求項２において、前記突起部が前記受金接触片の略中央部にあり、前記受金接触片の先端側から根元側に向かって切り起こされているものである。
【００１１】
請求項３記載のねじ込みソケットによれば、請求項２と同様な効果のほか、口金のねじ部と受金接触片の接触箇所を増やすことができる。
【００１２】
請求項４記載のねじ込みソケットは、請求項１または請求項２において、前記突起部は前記受金接触片の中心に対して略対称に２箇所設けられているものである。
【００１３】
請求項４記載のねじ込みソケットによれば、請求項１または請求項２と同様な効果のほか、口金ねじ部と受金接触片の接触箇所を増やすと共に、ランプの傾きを補正できる。また中心接触片一受金接触片間の絶縁距離を確保しやすい。
【００１４】
請求項５記載のねじ込みソケットは、請求項１、請求項２または請求項４において、前記突起部が前記受金接触片および前記本体の前記雌ねじの内底面に対して略垂直に設けられているものである。
【００１５】
請求項５記載のねじ込みソケットによれば、請求項１、請求項２または請求項４と同様な効果のほか、突起部がヘタリにくく、受金接触片の内倒れも確実になる。
【００１６】
請求項６記載のねじ込みソケットは、請求項１、請求項２、請求項３、請求項４または請求項５において、ランプ装着前の初期状態において、前記受金接触片の内側表面は、前記雌ねじに螺合された前記ねじ部の最大径部よりも外側にあるものである。
【００１７】
請求項６記載のねじ込みソケットによれば、請求項１、請求項２、請求項３、請求項４または請求項５と同様な効果のほか、ランプ装着途中に口金のねじ部に触れても感電しない。
【００１８】
請求項７記載のねじ込みソケットは、ランプの口金のねじ部と螺合する雌ねじを有する絶縁物の本体と、前記口金のアイレットと接触する中心接触片と、前記口金の前記ねじ部と接触する受金接触片を有するねじ込みソケットにおいて、
前記受金接触片の先端に前記雌ねじの径方向外方に段違いに折曲された曲げ部を設けるとともに、前記本体の前記雌ねじの内面には、断面がコの字形で前記雌ねじの底面方向に開口し、前記雌ねじの中心側に内壁を持ちかつ外方側に外壁を持つ中空部を有し、
前記雌ねじの径方向における前記中空部の幅が、前記受金接触片の板厚より十分大きく設定され、前記曲げ部が前記中空部内に位置することを特徴とするものである。
【００１９】
請求項７記載のねじ込みソケットによれば、請求項１と同様、受金接触片の先端に口金が引っ掛ることがなく、よって受金接触片の口金側への突出量を大きくすることが可能であり、受金接触片と口金ねじ部の高い接触力を得ることができる。
【００２０】
請求項８記載のねじ込みソケットは、請求項７において、前記中空部の前記内壁の厚さが前記曲げ部の段差よりも小さく、前記曲げ部が前記中空部の前記内壁に当接しているものである。
【００２１】
請求項８記載のねじ込みソケットによれば、請求項７と同様な効果のほか、ソケットを小さくできる。
【００２２】
請求項９記載のねじ込みソケットは、請求項７または請求項８において、前記ランプの装着前の状態における、前記曲げ部と前記外壁の距離が、前記ランプの装着時の前記受金接触片の変位量よりも大きいものである。
【００２３】
請求項９記載のねじ込みソケットによれば、請求項７または請求項８と同様な効果のほか、ねじ込みトルクの増大防止が可能である。
【００２４】
請求項１０記載のねじ込みソケットは、請求項８または請求項９において、前記受金接触片がばね性を有し、初期状態ではその先端が中空部よりも雌ねじの中心側に位置し、前記受金接触片を外方にたわませて前記先端を前記内壁に係合したものである。
【００２５】
請求項１０記載のねじ込みソケットによれば、請求項８または請求項９と同様な効果のほか、受金接触片の小さな変形で大きな接触力を得ることができ、電気的信頼性と小型化が図れる。
【００２６】
請求項１１記載のねじ込みソケットは、請求項１０において、前記口金の前記ねじ部の最大径部の半径と、前記雌ねじの中心から受金接触片の弾性変形の支点までの距離が略同一である。
【００２７】
請求項１１記載のねじ込みソケットによれば、請求項１０と同様な効果のほか、ランプ装着状態での電気的接続をより安定することができる。
【００２８】
請求項１２記載の照明器具は、請求項１、請求項２、請求項３、請求項４、請求項５、請求項６、請求項７、請求項８、請求項９、請求項１０または請求項１１記載のねじ込みソケットを備えたものである。
【００２９】
請求項１２記載の照明器具によれば、請求項１、請求項２、請求項３、請求項４、請求項５、請求項６、請求項７、請求項８、請求項９、請求項１０または請求項１１と同様な効果がある。
【００３０】
【発明の実施の形態】
この発明の第１の実施の形態の図１から図３に基づいて説明する。すなわち、照明器具に用いるねじ込みソケットは、絶縁物の本体１と、中心接触片２と、受金接触片３を有する部分受金のねじ込みソケットである。
【００３１】
本体１はランプ４の口金５のねじ部６と螺合する雌ねじ７を有する。実施の形態の本体１は円筒形であり、雌ねじ７は内周の一部に形成している。本体１の後端部寄りに底部８を設け、底部８の中央に突部９を設け、突部９を中心に対称位置に貫通部１１を形成している。また内周の軸方向に溝１０を形成している。
【００３２】
中心接触片２は口金５のアイレット１２と接触する。実施の形態ではばね性を有し、基端部２ａが底部８の貫通部１１を貫通した状態に底部８に固定され、これにリード線接続端子（図示せず）が接続される。先端部２ｂはアイレット１２に接触するもので貫通部１１から雌ねじ７の中心に向けて傾斜し突部９の上方に位置する。
【００３３】
受金接触片３は口金５のねじ部６と接触するものである。この受金接触片３は雌ねじ７の中心すなわちソケット中心側に向かって突出した突起部１３を有し、ランプ４をねじ込んだ際にランプ４の進入を規制するように、口金５のねじ部６の下端が突起部１３に当接する。突起部１３は受金接触片３から切り起こして構成されている。実施の形態の受金接触片１３は溝１０内に位置し、基端部３ａが底部８に固定され、先端部３ｂが貫通部１１を貫通して上方に延出している。
【００３４】
図２はランプ４を雌ねじ７にねじ込んだ状態であり、ランプ３をねじ込めば口金５の先端で突起部１３を押すので受金接触片３が内倒れし、ねじ部６との接触圧が確実に取れる。また口金５の先端で突起部１３を押した状態でアイレット１２が中心接触片２の先端部に弾接する。したがって、ランプ４の口金５のねじ部６の径のばらつきがあっても接触が確実である。また接触圧が低い設計に出来るため、ランプ４を軽くねじ込め、ヘタリも防止できる。さらに突起部１３は受金接触片３から切り起こしたため受金接触片３が大きくならない。
【００３５】
この発明の第２の実施の形態の図４および図５に基づいて説明する。すなわち、このねじ込みソケットは、第１の実施の形態において、突起部１３が受金接触片３の略中央部にあり、受金接触片３の先端部３ｂ側から基端部（根元）３ａ側に向かって略長方形に切り起こされている。
【００３６】
このねじ込みソケットによれば、第１の実施の形態と同様な効果のほか、図５（ｂ）に示すように、突起部１３の切起こしにより形成された開口１３ａの両側縁にねじ部６が接触するため、口金５のねじ部６と受金接触片３の接触箇所を増やすことができる。
【００３７】
この発明の第３の実施の形態を図６から図８に基づいて説明する。すなわち、このねじ込みソケットは、第１または第２の実施の形態において、突起部１３は受金接触片３の中心に対して略対称に２箇所設けられているものである。実施の形態では突起部１３ｂ、１３ｃが受金接触片３の両側に切曲げされている。なお中心接触片は図示省略している。
【００３８】
このねじ込みソケットによれば、第１または第２の実施の形態と同様な効果のほか、口金ねじ部６と受金接触片３の接触箇所を増え電気的に安定すると共に、ランプ４の傾きを補正することができる。また中心接触片２一受金接触片３間の距離が大きくなり絶縁距離を確保しやすい。さらにランプ４の傾きを小さくできるとともに、受金接触片３が傾くことなくまっすぐに内倒れすることができる。
【００３９】
この発明の第４の実施の形態を図９に基づいて説明する。すなわち、このねじ込みソケットは、第１から第３の実施の形態において、突起部１３が受金接触片３および本体１の内底面に対して略垂直に設けられているものである。実施の形態では受金接触片３の両側より突起部１３を一体に張り出し形成し、前方に折曲している。
【００４０】
このねじ込みソケットによれば、第１から第３の実施の形態と同様な効果のほか、突起部１３に軸方向のばね性がないため、繰り返しランプ４を着脱しても突起部１３がヘタリにくい。またランプ４のねじ込みによる軸方向Ａ１の力を受金接触片３の径方向Ａ２への力に変換する変換率が向上するので、受金接触片３の内倒れも確実になる。
【００４１】
この発明の第５の実施の形態を図１０および図１１に基づいて説明する。すなわち、このねじ込みソケットは、第１から第３の実施の形態において、ランプ装着前の初期状態において、受金接触片３の内側表面は、雌ねじ７に螺合されたねじ部６の最大径部よりも外側にあるように底部に配置固定している。すなわちねじ部６が雌ねじ７にねじ込まれても口金５が突起部１３に接触するまでは隙間Ｈの絶縁間隔がある。
【００４２】
このねじ込みソケットによれば、図１１に示すようにランプ装着途中に口金５のねじ部６に指１８が触れても、受金接触片３が口金５のねじ部６に接触しないため、感電しないので安全である。一方、ランプ４が最終位置までねじ込まれると口金５の先端で突起部１３を押し、ランプ４の挿入位置が規制されるとともに、突起部１３に引かれて受金接触片３の先端部３ｂ側が口金５のねじ部６に接触する。このため、ランプ４を奥までねじ込まない限り通電しないこととなる。
【００４３】
この発明の第６の実施の形態を図１２から図１５に基づいて説明する。すなわち、このねじ込みソケットは、ランプ４の口金５のねじ部６と螺合する雌ねじ７を有する絶縁物の本体１と、口金５のアイレット１２と接触する中心接触片２と、口金５のねじ部６と接触する受金接触片３を有するねじ込みソケットにおいて、受金接触片３の先端に雌ねじ７の径方向外方につなぎ部１８によって段違いに折曲された曲げ部１９を設けるとともに、本体１の雌ねじ７の内面には、断面がコの字形で雌ねじ７の底面方向に開口し、雌ねじ７の中心側に内壁２０を持ちかつ外方側に外壁２１を持つ中空部２２を有し、雌ねじ７の径方向における中空部２２の幅が、受金接触片３の板厚より十分大きく設定され、曲げ部１９が中空部２２内に位置している。また中空部２２の内壁２０の厚さＨ１が曲げ部１９のつなぎ部１８による段差Ｈ２よりも小さく、曲げ部１９が中空部２２の内壁２０に当接している。
【００４４】
さらに第１の実施の形態と異なる点は、中空部２２が溝１０の上端部に連続して形成されていること、および突起部１３がないことである。その他は第１の実施の形態と共通する。
【００４５】
このねじ込みソケットによれば、曲げ部１９が中空部２２内に入っているため、  図１４に示すようにねじ部６を雌ねじ７に螺合しても、受金接触片３の先端に口金６が引っ掛ることがなく、よって受金接触片３の口金側への突出量を大きくすることが可能であり、受金接触片３と口金５のねじ部６の高い接触力を得ることができる。
【００４６】
また雌ねじ７の径方向におけるの中空部２２の幅Ｈ３が、受金接触片３の曲げ部１９の板厚より十分大きく設定されているため、図１５に示すように曲げ部１９が中空部２２内で可動し、そのため受金接触片３は外側へ変形でき、ランプ４の螺子部６のねじ込み性を損なわない。またつなぎ部１８による曲げ部１９の段差Ｈ２が内壁２０の厚さＨ１よりも大であるため、受金接触片３は必ずねじ部６と接触することができる。このように、中空部２２の内壁２０の厚さＨ１が曲げ部１９の段差Ｈ２よりも小さく、しかも曲げ部１９が中空部２２の内壁２０に当接しているため、本体１を小型化できる。
【００４７】
この発明の第７の実施の形態を図１６に基づいて説明する。すなわち、このねじ込みソケットは、第６の実施の形態において、ランプ４の装着前の状態における、曲げ部１９と外壁２１の距離（Ｂ）が、ランプ４の装着時の受金接触片３の変位量（Ａ）よりも大きいものである。図中、Ａは受金接触片３の弾性変形量、Ｂは受金接触片３の可動範囲、Ｃは口金５のねじ部６をねじ込んでいった場合に、ねじ部６と受金接触片３が接触し得る範囲を示している。このように、Ａ＜Ｂとなる構造のため、受金接触片３が中空部２２の外壁２１に当たり突っ張ってランプ４のねじ込みが固くなることはない。したがって、このねじ込みソケットによれば、第６の実施の形態と同様な効果のほか、ねじ込みトルクの増大防止が可能である。
【００４８】
この発明の第８の実施の形態を図１７から図１９に基づいて説明する。すなわち、このねじ込みソケットは、第６の実施の形態において、受金接触片３がばね性を有し、初期状態では先端部３ｂが中空部２２よりも雌ねじ７の中心側に位置し、受金接触片３を外方にたわませて先端部１９を内壁２０に係合したものである。図１７は曲げ部１９が中空部２２の内壁１９より内側にある状態を示し、基端部３ａより先端側を雌ねじ７の中心側の内壁２０よりも内側になるように折曲（塑性変形）して底部８に固定している。図１９は受金接触片３に外力を与えない場合に曲げ部１９が内壁２０に相当（干渉）する位置にあるように、受金接触片３の基端部３ａを折曲（塑性変形）した例であり、図１７よりも変形が小さい場合である。図１８は受金接触片３に外力を与えて中空部２２内で内壁２０に弾性係止させたもので、図示矢印の方向に常に力が加わっている。
【００４９】
このねじ込みソケットによれば、第６および第７の実施の形態と同様な効果のほか、受金接触片３の小さな変形で大きな接触力を得ることができ、電気的信頼性と小型化が図れる。
【００５０】
この発明の第９の実施の形態を図２０から図２３に基づいて説明する。すなわち、このねじ込みソケットは、第６、第７および第８の実施の形態において、口金５のねじ部６の最大径部の半径ｂと、雌ねじ７の中心から受金接触片３の基端部３ａの弾性変形の支点２４までの距離ａを略同一としている。この場合、受金接触片３の先端部３ｂ側は中心側に傾いた状態となり曲げ部１９が内壁２０の内面に弾性係止している。図２２および図２３はねじ部６を雌ねじ７にねじ込んだ状態であり、ａ≒ｂより、受金接触片３が中空部２２内で変形し、受金接触片３はランプ軸Ｌと平行になるので、ねじ部６のねじ山６ａが受金接触片３に接触する数が増加し、口金５と受金接触片３の接触箇所が増加する。
【００５１】
図２３（ｂ）は受金接触片３の支点２４が基端部（根元部）３ａではなく根元部から先端寄りの位置に支点突起２５により形成されている変形形態である。支点突起２５はソケット本体１の溝１０より突出している。
【００５２】
このねじ込みソケットによれば、ランプ装着状態での電気的接続をより安定させることができる。
【００５３】
【発明の効果】
請求項１記載のねじ込みソケットによれば、ランプを本体にねじ込めば突起部を押すので受金接触片が内倒れし、接触圧が確実に取れる。したがって、ランプの口金のねじ部の径のばらつきがあっても接触が確実である。また接触圧が低い設計にできるため、ランプを軽くねじ込め、さらにヘタリも防止できる。
【００５４】
請求項２記載のねじ込みソケットによれば、請求項１と同様な効果のほか、受金接触片が大きくならない。
【００５５】
請求項３記載のねじ込みソケットによれば、請求項２と同様な効果のほか、口金のねじ部と受金接触片の接触箇所を増やすことができる。
【００５６】
請求項４記載のねじ込みソケットによれば、請求項１または請求項２と同様な効果のほか、口金ねじ部と受金接触片の接触箇所を増やすと共に、ランプの傾きを補正できる。また中心接触片一受金接触片間の絶縁距離を確保しやすい。
【００５７】
請求項５記載のねじ込みソケットによれば、請求項１、請求項２または請求項４と同様な効果のほか、突起部がヘタリにくく、受金接触片の内倒れも確実になる。
【００５８】
請求項６記載のねじ込みソケットによれば、請求項１、請求項２、請求項３、請求項４または請求項５と同様な効果のほか、ランプ装着途中に口金のねじ部に触れても感電しない。
【００５９】
請求項７記載のねじ込みソケットによれば、請求項１と同様、受金接触片の先端に口金が引っ掛ることがなく、よって受金接触片の口金側への突出量を大きくすることが可能であり、受金接触片と口金ねじ部の高い接触力を得ることができる。
【００６０】
請求項８記載のねじ込みソケットによれば、請求項７と同様な効果のほか、ソケットを小さくできる。
【００６１】
請求項９記載のねじ込みソケットによれば、請求項７または請求項８と同様な効果のほか、ねじ込みトルクの増大防止が可能である。
【００６２】
請求項１０記載のねじ込みソケットによれば、請求項８または請求項９と同様な効果のほか、受金接触片の小さな変形で大きな接触力を得ることができ、電気的信頼性と小型化が図れる。
【００６３】
請求項１１記載のねじ込みソケットによれば、請求項１０と同様な効果のほか、
ランプ装着状態での電気的接続をより安定することができる。
【００６４】
請求項１２記載の照明器具によれば、請求項１、請求項２、請求項３、請求項４、請求項５、請求項６、請求項７、請求項８、請求項９、請求項１０または請求項１１と同様な効果がある。
【図面の簡単な説明】
【図１】この発明の第１の実施の形態のランプ装着前の状態の断面図である。
【図２】装着状態の断面図である。
【図３】受金接触片を示し、（ａ）は側面図、（ｂ）は正面図、（ｃ）は斜視図である。
【図４】第２の実施の形態の受金接触片を示し、（ａ）は側面図、（ｂ）は正面図、（ｃ）は斜視図である。
【図５】（ａ）は第２の実施の形態の破断斜視図、（ｂ）はその部分断面図である。
【図６】第３の実施の形態の受金接触片を示し、（ａ）は側面図、（ｂ）は正面図、（ｃ）は斜視図である。
【図７】第３の実施の形態のねじ込みソケットの断面図である。
【図８】そのＡ−Ａ線断面図である。
【図９】第４の実施の形態の受金接触片を示し、（ａ）は側面図、（ｂ）は正面図、（ｃ）は斜視図である。
【図１０】第５の実施の形態のランプ装着前の断面図である。
【図１１】ランプ装着途中の断面図である。
【図１２】第６の実施の形態のランプ装着前のねじ込みソケットの断面図である。
【図１３】その部分拡大図である。
【図１４】ランプ装着状態のねじ込みソケットの断面図である。
【図１５】その部分拡大図である。
【図１６】第７の実施の形態を示し、（ａ）はランプ装着前のねじ部と受金接触片との関係を示す部分側面図、（ｂ）はその概略平面図、（ｃ）は受金接触片と中空部との関係を示す部分断面図である。
【図１７】第８の実施の形態を示し、受金接触片が中空部に嵌まっていない状態の部分断面図である。
【図１８】受金接触片が中空部に嵌まった状態の部分断面図である。
【図１９】受金接触片が中空部に嵌まっていない場合の別の形態の部分断面図である。
【図２０】第９の実施の形態のランプ装着前の状態の断面図である。
【図２１】（ａ）はその曲げ部が中空部に係合した状態の部分断面図、（ｂ）は受金接触片の根元部を示す部分断面図である。
【図２２】ランプ装着状態の断面図である。
【図２３】（ａ）はその部分断面図、（ｂ）は変形形態の部分断面図である。
【符号の説明】
１    本体
２    中心接触片
３    受金接触片
４    ランプ
５    口金
６    ねじ部
７    雌ねじ
１２    アイレット
１３    突起部
１９    曲げ部
２０    内壁
２２    外壁
【図１】
2004228012.tif 000003
【図２】
2004228012.tif 000004
【図３】
2004228012.tif 000005
【図４】
2004228012.tif 000006
【図５】
2004228012.tif 000007
【図６】
2004228012.tif 000008
【図７】
2004228012.tif 000009
【図８】
2004228012.tif 000010
【図９】
2004228012.tif 000011
【図１０】
2004228012.tif 000012
【図１１】
2004228012.tif 000013
【図１２】
2004228012.tif 000014
【図１３】
2004228012.tif 000015
【図１４】
2004228012.tif 000016
【図１５】
2004228012.tif 000017
【図１６】
2004228012.tif 000018
【図１７】
2004228012.tif 000019
【図１８】
2004228012.tif 000020
【図１９】
2004228012.tif 000021
【図２０】
2004228012.tif 000022
【図２１】
2004228012.tif 000023
【図２２】
2004228012.tif 000024
【図２３】
2004228012.tif 000025